(57)【要約】      （修正有）【課題】イメージングプレートシステムの較正プロセスおよび較正機器の必要性を減らす技術を提供する。【解決手段】光電子増倍管１２０はメモリを有し、光電子増倍管１２０に関するパラメータを格納する。光電子増倍管１２０を有するイメージングプレートスキャナーは、光源と、光源に通信可能に結合され、光電子増倍管の供給電圧値を生成し、光源を作動させ、アノードまたはカソードの出力電流を決定し、出力電流が予想される電流範囲から外れるとエラーメッセージを生成するように構成された電子プロセッサとを含む。【選択図】図１
2019133927.tif 000002
【特許請求の範囲】
【請求項１】
イメージングプレートスキャナーで使用するための光電子増倍管であって、
窓を有するハウジングと、
前記ハウジング内に配置される集束電極と、
前記ハウジング内に配置される電子増倍管ダイノードと、
アノードと、
カソードと、
パラメータを格納するメモリと、を含む、光電子増倍管。
【請求項２】
前記メモリは、前記アノードまたは前記カソードに関するパラメータを格納する、請求項１に記載の光電子増倍管。
【請求項３】
前記メモリは、前記アノードまたは前記カソードから測定されたパラメータを格納する、請求項１に記載の光電子増倍管。
【請求項４】
前記メモリは、前記アノードに対する青色感度指数を格納する、請求項１に記載の光電子増倍管。
【請求項５】
前記メモリは、暗電流値、光感度、および基準電圧における信号レベルからなる群から選択された少なくとも一つを格納する、請求項１に記載の光電子増倍管。
【請求項６】
前記メモリは、前記光電子増倍管のシリアル番号を格納する、請求項２に記載の光電子増倍管。
【請求項７】
前記メモリが電気的消去可能でプログラム可能な読出し専用メモリを含む、請求項１に記載の光電子増倍管。
【請求項８】
前記メモリは、集積回路間（Ｉ２Ｃ）プロトコルに従って読み書きされるように構成される、請求項１に記載の光電子増倍管。
【請求項９】
窓、アノードおよびカソードを有する光電子増倍管と、
前記アノードまたは前記カソードに光を放射するように配置された光源と、
前記光源に通信可能に結合された電子プロセッサであって、
前記光電子増倍管の供給電圧値を生成し、
前記光源を作動させ、前記アノードまたは前記カソードの出力電流を決定し、
前記出力電流が予想される電流範囲から外れるとエラーメッセージを生成する
ように構成された電子プロセッサと、
前記電子プロセッサに電気的に接続され、前記光電子増倍管のための前記供給電圧を生成するように構成される電源と、
を含む、イメージングプレートスキャナー。
【請求項１０】
前記光源は、青色光源または紫外線光源である、請求項９に記載のイメージングプレートスキャナー。
【請求項１１】
メモリと、前記電子プロセッサを前記メモリに電気的に接続するバスとをさらに含む、請求項９に記載のイメージングプレートスキャナー。
【請求項１２】
前記メモリが青色感度指数を格納する、請求項１１に記載のイメージングプレートスキャナー。
【請求項１３】
前記電子プロセッサは、前記青色感度指数の負対数と定数とに従って前記光電子増倍管への前記供給電圧を決定するようにさらに構成される、請求項１２に記載のイメージングプレートスキャナー。
【請求項１４】
前記メモリは、前記光電子増倍管のシリアル番号を格納する、請求項１１に記載のイメージングプレートスキャナー。
【請求項１５】
前記メモリが電気的消去可能でプログラム可能な読出し専用メモリを含む、請求項１１に記載のイメージングプレートスキャナー。
【請求項１６】
第一の構成要素と、窓、アノード、カソードを有する光電子増倍管と、前記アノードまたはカソードのパラメータを格納するメモリと、を含むイメージングプレートスキャナーを組み立てる方法であって、
前記イメージングプレートスキャナーの電子プロセッサを介して、組立工程を開始することと、
前記電子プロセッサを介して、前記格納されたパラメータを前記メモリから読み取ることと、
前記電子プロセッサを介して、前記アノードまたはカソードのパラメータに従って前記光電子増倍管の供給電圧値を決定することと、
前記電子プロセッサを介して、前記第一の構成要素の動作パラメータを決定することと、
前記電子プロセッサを介して、スキャナーパラメータを含むメッセージを生成することと、
前記電子プロセッサを介して、視覚的に認識可能な準備完了インジケータを出力することと、を含む、方法。
【請求項１７】
前記電子プロセッサを介して、前記アノードまたはカソードのパラメータに従って前記光電子増倍管の供給電圧値を決定することが、青色感度指数の負対数と定数に従って前記供給電圧値を決定することを含む、請求項１６に記載の方法。
【請求項１８】
窓と、アノードと、カソードと、前記アノードまたはカソードのパラメータを格納するメモリとを有する光電子増倍管の動作状態をチェックする方法であって、
前記アノードおよびカソードが光源の光出力フィールド内にあるように、前記アノードおよびカソードに対して前記光源を配置することと、
前記光源を作動させることと、
前記光源からの光が前記アノードまたは前記カソードに照射された結果として発生する前記アノードまたは前記カソードの出力電流を決定することと、
前記出力電流が予想される電流範囲から外れるとエラーメッセージを生成することと、を含む、方法。
【発明の詳細な説明】
【背景技術】
【０００１】
口腔内撮像は電子画像センサを用いて達成される事が多い。電子画像センサは、Ｘ線を光子に変換するためにシンチレータを使用し、光子はセンサ、例えばＣＭＯＳ画像センサに向けられる。イメージングプレートはまた、画像を取り込むために使用され得る。イメージングプレートは、Ｘ線エネルギーを貯蔵し、例えばレーザー光によって照射されると発光する蛍光体層を含む。イメージングプレートによって放出された光は、口腔内画像を生成するためにスキャナーによって取り込まれ処理される。
【０００２】
スキャナーはイメージングプレートシステムの一部である。そのようなシステムは一般に、望ましいワークフローを有する高品質の口腔内画像を提供する。他の構成要素のうち、イメージングプレートシステム内のスキャナーは、一般に、光電子増倍管、集光器、および光源（例えば、レーザーまたはレーザーとミラーのアセンブリであり得る）を含む。
【０００３】
添付の図面は、以下の詳細な説明と共に、別々の図を通して同一または機能的に類似の要素を指すが、明細書に組み込まれてその一部を形成し、特許請求の範囲に記載の発明を含む概念の実施形態をさらに例示するのに役立つ。これらの実施形態の様々な原理および利点を説明する。
【図面の簡単な説明】
【０００４】
【図１】図１は、一実施形態による放射イメージングプレートを走査して画像を形成するためのシステムを示す。
【図２】図２は、一実施形態による光電子増倍管を示す。
【図３Ａ】図３Ａは、一実施形態によるイメージングプレートスキャナーを示す。
【図３Ｂ】図３Ｂは、一実施形態によるイメージングプレートスキャナーの内部のブロック図を示す。
【図４】図４は、一実施形態による光電子増倍管をイメージングプレートスキャナーに組み込む方法を示す。
【図５】図５は、一実施形態による、窓、アノード、カソード、およびアノードまたはカソードのパラメータを格納するメモリを有する光電子増倍管の動作状態をチェックする方法を示す。
【発明を実施するための形態】
【０００５】
装置および方法の構成要素が説明されており、必要に応じて図面中の慣習的な符号により、本発明の実施形態の理解に関係のある特定の詳細のみを示すことで、当業者が容易に理解して本明細書中の説明の利益を得るであろう詳細な開示が不明瞭にならないようにする
【０００６】
多くの場合、イメージングシステムまたはイメージングプレートシステムの一つまたは複数の構成要素を較正することが必要である。較正は、システムまたは構成要素の測定精度または動作精度を決定するプロセスである。多くの場合、較正には外部較正装置または較正器が必要である。例えば、口腔内イメージングプレートスキャナーまたはリーダー製造ラインでは、光電子増倍管は較正機器を用いて較正される。
【０００７】
較正プロセスは時間がかかり、較正機器は製造コストを増大させる。したがって、較正プロセスや較正機器を排除または削減することは有益である。理想的なシナリオでは、製造施設を出た後、構成要素が較正なしで装置内で機能する準備ができている一種の「プラグアンドプレイ」システムと見なすことができる。したがって、実施形態の一つの目的は、較正プロセスおよび較正機器の必要性を減らすための技術を提供することである。
【０００８】
説明を容易にするために、本明細書に提示される例示的なシステムのいくつかまたはすべては、その構成要素部分のそれぞれの単一の例を用いて例示される。いくつかの例は、システムのすべての構成要素を説明または例示していない可能性がある。他の例示的な実施形態は、例示された構成要素のそれぞれのより多いまたはより少ない構成要素を含むことができ、いくつかの構成要素を組み合わせることができ、または追加または代替の構成要素を含むことができる。
【０００９】
図１は、一実施形態による放射イメージングプレートを走査して画像を形成するためのシステム１００を示す。実際には、システム１００はスキャナー（後述）内に含まれる。図示の例では、システム１００は、イメージングプレート１０５と、光源１１０と、集光ガイド１１５と、光電子増倍管（「ＰＭＴ」）１２０と、アナログ−デジタル（「Ａ／Ｄ」）変換器１２５とを含む。
【００１０】
イメージングプレート１０５は、画像を作成するために使用される装置であり、蛍光体層が可視光で照射されると、Ｘ線エネルギーを格納して光を放射することができる蛍光体層を有する。Ｘ線源（例えば、支持アームの端部に取り付けられている）は、患者の口の内側に配置されるイメージングプレート１０５と整列している。作動すると、Ｘ線源はＸ線ビームを発生する。患者の解剖学的組織を通過する放射線は、イメージングプレート１０５の蛍光体層上に患者の歯のレントゲン写真を作成する。
【００１１】
蛍光体層に格納されたレントゲン写真または画像を得るために、イメージングプレート１０５は、走査プロセスにおいて光を照射される。一例では、イメージングプレート１０５は、光源１１０によって照射されながら直線方向１３０に移動する。別の例では、イメージングプレート１０５を静止状態に保持し、光源１１０からの光をイメージングプレート１０５に走査パターンで照射して、イメージングプレート１０５を照射する。例えば、光源１１０を、画像を生成するためにイメージングプレート１０５を照射するように移動または旋回させることができる。他の実施形態では、ミラーを使用して光源１１０からの光を方向転換してイメージングプレート１０５を照射することができる。
【００１２】
光源１１０によって生成された光は、イメージングプレート１０５が直線方向１３０に移動するか走査されるときにレントゲン写真によって反射される。一実施形態では、光源１１０は、レントゲン写真によって反射されるビームを生成するレーザーである。他の実施形態では、光源１１０は青色光源またはＵＶ光源である。
【００１３】
反射光は、例えば集光ガイド１１５によって集光される。集光ガイド１１５は、集光した光をＰＭＴ１２０に向ける。ＰＭＴ１２０（その構造および機能は、図２に関して以下でより詳細に説明される）は、外部光電効果（以下でより詳細に説明される）を適用して、アノードまたはカソードのいずれかから電流信号を出力する。
【００１４】
ＰＭＴ１２０は、Ａ／Ｄ変換器１２５に電気的に接続される。ＰＭＴ１２０からの出力電流信号はＡ／Ｄ変換器１２５に送られ、Ａ／Ｄ変換器１２５はアナログ出力電流信号をデジタルデータ１３５に変換する。次に、デジタルデータ１３５は、イメージングプレート１０５の蛍光体層上にレントゲン写真のデジタル画像として出力される。
【００１５】
図２は、一実施形態によるＰＭＴ１２０を示す。ＰＭＴ１２０は、窓２１０を有するハウジング２０５を含む。集束電極２１５および電子増倍管ダイノード２２０がハウジング２０５内に配置される。ＰＭＴ１２０はまた、アノード２２５と、カソード２３０と、メモリ２３５とを含む。
【００１６】
一例では、ハウジング２０５は、非熱電子真空管であり、ガラス製である。窓２１０は、光源２４０からの光がＰＭＴ１２０のハウジング２０５に入ることを可能にする。光源２４０は、一実施形態では、イメージングプレート１０５のレントゲン写真から反射された光である。
【００１７】
外部光電効果は、金属による十分な量の光子の吸収によって光が金属表面に当たるときの光電子の放出である。光源２４０からハウジング２０５の窓２１０に光が入ると、光がカソード２３０に当たり、外部光電効果が生じる。カソード２３０は半透明光カソードであり得る。カソード２３０から放出された光電子は、ハウジング２０５を通って電子経路２４５をたどる。光電子は電子経路２４５に沿って集束され、集束電極２１５によって加速される。いくつかの実施形態では、ハウジング２０５内に複数の集束電極２１５が配置されていてもよい。
【００１８】
集束電極２１５は、光電子を電子増倍管ダイノード２２０に集束させるように設計される。光電子が電子増倍管ダイノード２２０に衝突すると、電子増倍管ダイノード２２０は非常に高い利得で真空管を通って入力光電子を増倍し、光電子をアノード２２５に向ける。
【００１９】
アノード２２５は、増倍管ダイノード２２０から増倍された光電子を集める。アノード２２５は出力電流信号を生成し、アノード２２５によって収集された光電子に基づいてアノードコネクタ２５０に沿って出力電流信号を伝送する。一実施形態では、アノードコネクタ２５０は、ＰＭＴ１２０のアノード２２５をＡ／Ｄ変換器１２５に接続するケーブルまたはワイヤである。いくつかの実施形態では、カソード２３０は出力電流を発生させることができる。
【００２０】
メモリ２３５は、ＰＭＴ１２０に電気的に接続することができる。メモリ２３５は、他の外部電気接続、例えばメモリ２３５にアクセスするための別個の電気システム用の入出力接続も含むことができる。メモリ２３５は、とりわけ、ＰＭＴ１２０のパラメータを格納するように構成される。以下により詳細に記載されるように、有用なパラメータは、アノード青色感度指数または、アノード青色感度指数、収集効率、利得、ＰＭＴのシリアル番号、暗電流値、光感度、および基準電圧の信号レベルを計算するためのパラメータを含み得る。パラメータは、アノード２２５またはカソード２３０と関連していてもよく、アノード２２５またはカソード２３０によってまたはそれらにおいてさらに測定されてもよい。
【００２１】
いくつかの実施形態では、メモリ２３５は電気的消去可能でプログラム可能な読出し専用メモリ（「ＥＥＰＲＯＭ」）であり、他の電子構成要素と通信するときに集積回路間（Ｉ２Ｃ）プロトコルを利用する。
【００２２】
任意選択で、ＰＭＴ１２０のアノード青色感度指数を決定するために、ＰＭＴ１２０の窓２１０の前に青色フィルタを配置することができる。アノード青色感度指数は、青色フィルタがＰＭＴ１２０の窓２１０の前に配置されたときに得られるアノード電流として定義され、アノード青色感度指数は、同じタイプの光電子増倍管を比較する上で重要な要因である。アノード青色感度指数は、特定の所望の波長（一実施形態では、約４００ナノメートル波長）で最適な感度を有する管の選択を可能にする。
【００２３】
ＰＭＴ１２０の収集効率は、光電子が増倍される電子増倍管ダイノード２２０の有効領域に光電子が着地する確率として定義される。収集効率は、カソード２３０と電子増倍管ダイノード２２０との間の電圧に依存する。カソード２３０と電子増倍管ダイノード２２０との間の電圧が約１５０ボルトのときに、収集効率は最大になる。
【００２４】
ＰＭＴ１２０の利得はその増幅の指標である。増幅は、一般的に、例えばイメージングプレート１０５からの反射光を検出するなど、低光検出用途において必要とされる。ＰＭＴ１２０の利得は、入力カソード電流に対する出力電流の比であり、以下の式１によって計算される。
【００２５】
【数１】
2019133927.tif 000003
【００２６】
式１において、Ｇは利得であり、「ａ」は収集効率（公称１）であり、ｎは電子増倍管ダイノード２２０の数であり、ｋは電子増倍管ダイノード２２０の構造および材料に依存する既知の値（ほとんどの計算で０．７から０．８の間）であり、ＶはＰＭＴ１２０への供給電圧である。単一のＰＭＴ１２０の場合、ｎおよびｋは固定値であり、したがって利得は主にＰＭＴ１２０に供給される収集効率および供給電圧によって決定される。
【００２７】
図３Ａは、一実施形態によるイメージングプレートスキャナー３００を示す。イメージングプレートスキャナー３００はスキャナーハウジング３０２を含み、システム１００（図３Ａには示さず、図３Ｂでさらに説明される）はスキャナーハウジング３０２内に配置される。図示の例では、イメージングプレートスキャナー３００はまた、開口部３０５と、エラーインジケータと３１０、準備完了インジケータ３１５とを含み得る。
【００２８】
開口部３０５は、イメージングプレート１０５の挿入点である。画像処理中、イメージングプレート１０５はシステム１００内に挿入されて光源１１０に露光される。イメージングプレート１０５を開口部３０５に挿入することにより、イメージングプレートスキャナー３００の機械的構成要素（図示せず）は、上述のようにイメージングプレート１０５を走査することができる。いくつかの実施形態では、イメージングプレート１０５をイメージングプレートスキャナー３００に挿入するのを補助するために、ランナーまたは他の機構を使用することができる。
【００２９】
エラーインジケータ３１０は、発光ダイオード（「ＬＥＤ」）、ディスプレイスクリーン、スピーカなどであり得る。一般に、エラーインジケータ３１０は、システム１００の動作中にエラーが発生したことを示すように構成される。
【００３０】
準備完了インジケータ３１５は、ＬＥＤ、ディスプレイスクリーン、スピーカ、または他の出力構成要素とすることができる。一般に、準備完了インジケータ３１５は、イメージングプレートスキャナー３００が走査を実行する準備ができていることを示すように構成される。
【００３１】
図３Ｂは、一実施形態によるイメージングプレートスキャナー３００の内部のブロック図を示す。図示の例では、イメージングプレートスキャナー３００は、電子プロセッサ３５０と、メモリ２３５と、システム１００の光源１１０と、電源３５５と、入出力インターフェース３５７とを含む。
【００３２】
電子プロセッサ３５０は、例えばプラグアンドソケット接続を介して、ＰＭＴ１２０のメモリ２３５に電気的に接続することができる。いくつかの実施形態において、電子プロセッサ３５０は、電子バス（例えば電子バス３６０）によってメモリ２３５に結合されてもよい。他の接続（有線または無線を問わず）を使用することも可能である。
【００３３】
電子プロセッサ３５０は、メモリ２３５にアクセスし、メモリ２３５に格納されるパラメータに基づいて、ＰＭＴ１２０に対する供給電圧値を決定するように構成される。例えば、電子プロセッサ３５０は、アノード青色感度指数にアクセスし、対数関係、例えば下記に示す式２を用いて必要な供給電圧を決定する。
【００３４】
【数２】
2019133927.tif 000004
【００３５】
式２において、ｙは所与の供給電圧（後述のように高電圧値で表される）であり、ｘはＰＭＴ１２０のアノード青色感度指数である。Ａは定数係数、Ｃは定数値である。したがって、電子プロセッサ３５０は、ＰＭＴ１２０のメモリ２３５に格納されたアノード青色感度指数にアクセスすることによって供給電圧（高電圧値）を決定する。
【００３６】
式２は、複数の光電子増倍管（例えばＰＭＴ１２０）を較正することによって決定される。ＰＭＴを較正するために、イメージングプレートスキャナー３００の製造業者はＰＭＴに高電圧を印加し、出力電圧または高電圧（ＨＶ）値が測定される。一例では、１００〜２３０の範囲のＨＶ値は、許容可能な許容範囲内に入るか、または「成功」と見なされると想定される（１００のＨＶ値は３８５ボルトを表し、２３０はＰＭＴに供給される８８５ボルトを表す）。ＰＭＴ１２０の製造業者は、ＰＭＴ１２０のＨＶ値およびＰＭＴ１２０の他のパラメータをＰＭＴ１２０（例えば、ＰＭＴ１２０のデータシートの較正済みＨＶ値を含む）の購入者（購入者はイメージングプレートスキャナー３００の製造業者などの事業体である）に提供する。ユーザは、提供されたＨＶ値が正しいかどうか、および複数の光電子増倍管のＨＶ値に変動があるかどうかを判断するために複数の光電子増倍管を再較正する。
【００３７】
複数の光電子増倍管のそれぞれは、異なるアノード青色感度指数を有することができる。６００μＧｙのＸ線量レベルで供給電圧値を変動させることによって、わずかに異なる画像が生成される。生成された各画像について、一例では、信号レベルは、信号レベルが１６，３８３（ＨＶ上限）よりも小さいＨＶ領域を決定するために取得される。上限は、イメージングプレートスキャナー３００が動作することができる最大Ｘ線量レベルを定義し、画像が最大Ｘ線線量レベルで、飽和しない（例えば、画像をぼかすことによって画像品質を失うこと、明るすぎることなど）ことを保証にする。
【００３８】
１００μＧｙのＸ線量レベルで供給電圧値を変動させ、信号対雑音比（「ＳＮＲ」）を計算することによって、ＳＮＲが３０より大きいＨＶ領域が一例では決定される（ＨＶ下限）。下限は、イメージングプレートスキャナー３００が動作することができる最低限のＸ線量レベルを規定し、最低限のＸ線量レベルで画像が依然として画質を維持する（例えば、ぼやけたり暗すぎたりしない）ことを保証する。
【００３９】
ＨＶ上限およびＨＶ下限は、異なる光電子増倍管にたいして変動し得る。およびＨＶ上限およびＨＶ下限を決定するために使用される線量レベル（例えば、６００μＧｙのＸ線量および１００μＧｙのＸ線量）は、ＰＭＴ１２０、イメージングプレート１０５、イメージングプレートスキャナー３００、および他の要因に基づいて変動し得る。以上のことを理解されたい。上記の値は、ＨＶ上限とＨＶ下限によって定義されるＨＶ動作範囲がどのように決定されるかを説明するための単なる例として意味される。
【００４０】
ＨＶ上限およびＨＶ下限は、複数の光電子増倍管のそれぞれに供給電圧の動作範囲を与える。次いで、相関式は、複数の光電子増倍管のそれぞれのアノード青色感度指数をとり（また、ＨＶ値と同様に、製造業者によって与えられ、データシートまたはメモリ２１５内の複数の光電子増倍管のそれぞれに提供されたパラメータから計算される）、そして、その値を複数の光電子増倍管のそれぞれの計算されたＨＶ値と相関させることによって決定される。式２は、アノード青色感度指数と複数の光電子増倍管のそれぞれのＨＶ値との相関関係から生じる。式２に示されるように、光電子増倍管のアノード青色感度指数が高いほど、必要な供給電圧は低くなる。いくつかの実施形態では、ＨＶ値は一度計算され、電子プロセッサ３５０によるアクセスのためにメモリ２３５に格納される。他の実施形態では、ＰＭＴ１２０のＨＶ値は、ＰＭＴ１２０が電子プロセッサ３５０に電気的に接続されるたびに計算される。
【００４１】
電子プロセッサ３５０はまた、光をイメージングプレート１０５の蛍光体層からＰＭＴ１２０内に反射させるために、システム１００の光源１１０を作動させ、アノード２２５の出力電流および／またはカソード２３０の電流を決定するように構成される。電子プロセッサ３５０は、出力電流が予想範囲から外れるとエラーメッセージまたはエラー表示を生成するように構成される。予想範囲からの出力電流のずれは、イメージングプレート１０５のエラーまたは異常に関連したスキャン（例えば、イメージングプレート１０５上に存在する不首尾に捕捉されたＸ線写真、または走査を実行する際のエラー、例えば、光源１１０の閉塞）またはイメージングプレートスキャナー３００の構成要素を示す。電子プロセッサ３５０は、エラーインジケータ３１０にさらに電気的に接続することができる。エラーの存在を判断すると、電子プロセッサ３５０はエラーインジケータ３１０に信号を送信し、エラーインジケータ３１０はイメージングプレートスキャナー３００のユーザによって知覚可能な対応するエラーメッセージまたはエラー表示を出力する。
【００４２】
電子プロセッサ３５０は電源３５５に電気的に接続され、決定された供給電圧値を電源３５５に送信する。電源３５５は、イメージングプレートスキャナー３００に電力を供給し、また電子プロセッサ３５０によって決定された供給電圧値に基づいてＰＭＴ１２０に供給電圧を供給する。いくつかの実施形態において、電源３５５は電池である。他の実施形態では、電源３５５は、壁コンセントまたは他のグリッド電力源に接続されるように設計される。
【００４３】
入出力インターフェース３５７は、イメージングプレートスキャナー３００がイメージングプレートスキャナー３００の外部のシステムと通信することを可能にする。一実施形態では、入出力インターフェース３５７は、イメージングプレートスキャナー３００を外部システム、例えばコンピュータシステムに直接接続するためのハードウェアを含む。他の実施形態では、入出力インターフェース３５７は、外部システムがイメージングプレートスキャナー３００と通信できるように構成された無線トランシーバである。
【００４４】
入出力インターフェース３５７はさらに、ユーザがイメージングプレートスキャナー３００と対話することを可能にするように構成され得る。例えば、入出力インターフェース３５７は、ユーザがイメージングプレートスキャナー３００と対話することを可能にするために、ボタン、ディスプレイスクリーン、タッチスクリーン、または他の何らかのデバイスを含み得る。例えば、ユーザは、入出力インターフェース３５７を使用して、パラメータにアクセスし、結果を参照し、またはイメージングプレートスキャナー３００の動作パラメータを変更することができる可能性がある。
【００４５】
図４は、一実施形態による、ＰＭＴ１２０をイメージングプレートスキャナー３００に組み込む方法４００を示す。方法４００は、組立工程を開始することを含む（ブロック４０５）。組立工程中、イメージングプレートスキャナー３００の電子プロセッサ３５０はイメージングプレートスキャナー３００の構成要素を較正する。
【００４６】
方法４００は、電子プロセッサ３５０を用いて、ＰＭＴ１２０のメモリ２３５内に格納されたパラメータのうちの少なくとも一つを読み取ることを含む（ブロック４１０）。例えば、電子プロセッサ３５０は、メモリ２３５から格納されるアノード青色感度指数を読む。電子プロセッサ３５０は、いくつかの実施形態では、メモリ２３５に格納される複数のパラメータを読む。
【００４７】
方法４００は、電子プロセッサ３５０を用いて、メモリ２３５から読み出されたパラメータに基づいてＰＭＴ１２０の供給電圧値を決定することを含む（ブロック４１５）。一実施形態では、電子プロセッサ３５０は、ブロック４１０でメモリ２３５から、格納されたパラメータ、例えば青色感度指数を読み出し、次に供給電圧値を決定するために（上述したように）式２を使用する。別の実施形態では、電子プロセッサ３５０は、暗電流、基準電圧における信号レベル、またはメモリ２３５に格納される他のパラメータに基づいて供給電圧値を決定する。
【００４８】
方法４００は、電子プロセッサ３５０を用いて、イメージングプレートスキャナー３００の第一の構成要素に対する少なくとも一つの動作パラメータを決定することを含む（ブロック４２０）。例えば、電子プロセッサ３５０は、光源１１０の光度値、イメージングプレート１０５がイメージングプレートスキャナー３００を移動する速度、電子増倍管ダイノード２２０の利得などを決定することができる。いくつかの実施形態では、電子プロセッサ３５０は、格納されたパラメータを使用して第一の構成要素の動作パラメータを決定することができる。他の実施形態では、ユーザは、入出力インターフェース３５７を使用して、パラメータ、パラメータの修正、またはパラメータの確認を入力することができる。
【００４９】
方法４００は、電子プロセッサ３５０を用いて、走査パラメータを含むメッセージを生成することを含む（ブロック４２５）。電子プロセッサ３５０は、メモリ２３５からの（イメージングプレート１０５の速度、アノード青色感度指数、供給電圧などを含むことができる）走査パラメータにアクセスし、次いでメッセージを生成するように構成することができる。いくつかの実施形態では、メッセージは、走査パラメータに関する数値および定量的情報のみを含む。他の実施形態では、メッセージは電子プロセッサ３５０によって生成されたテキストを含む。テキストは、走査パラメータの識別子だけでもよいし、走査パラメータを説明する完全なステートメントでもよい。
【００５０】
いくつかの実施形態では、電子プロセッサ３５０は、メッセージをディスプレイスクリーンに出力してユーザに表示することができる。他の実施形態では、（入出力インターフェース３５７を使用して）電子プロセッサ３５０は、イメージングプレートスキャナー３００に接続されたコンピュータシステムにメッセージを送信することができる。
【００５１】
方法４００は、電子プロセッサ３５０を使用して、視覚的に認識可能な準備完了インジケータを出力することを含む（ブロック４３０）。一実施形態では、準備完了インジケータ３１５はＬＥＤである。電子プロセッサ３５０は、準備完了インジケータ３１５に信号を出力して点灯させる。別の実施形態では、電子プロセッサ３５０は、ブロック４２５で生成されたメッセージを視覚的に認識可能な準備完了インジケータとしてディスプレイスクリーンに出力する。いくつかの実施形態では、第一の構成要素の較正が失敗した場合、電子プロセッサ３５０はエラーインジケータ３１０をオンにするように構成され得る。
【００５２】
図５は、一実施形態によるＰＭＴ１２０の動作状態を確認する方法５００を示す。方法５００は、ＰＭＴ１２０がイメージングプレートスキャナー３００内に収容される間に実行することができる。他の実施形態では、方法５００を実行するためにＰＭＴ１２０をイメージングプレートスキャナー３００から取り外すことができる。電子プロセッサ３５０は、まずＰＭＴ１２０への供給電圧を生成する。例えば、電子プロセッサ３５０は、ＰＭＴ１２０をテストするために一定の供給電圧を生成することができる。他の実施形態では、電子プロセッサ３５０は、様々な電圧レベルでＰＭＴ１２０をテストするために一組の一定の供給電圧を生成する。
【００５３】
いくつかの実施形態において、イメージングプレート１０５からの光源１１０の反射は、テスト光源として使用される。他の実施形態では、異なる光源が使用される。いくつかの実施形態では、テスト光源は電子プロセッサ３５０からの信号に応答して位置決めされる。テスト光源は手動で位置決めすることもできる。
【００５４】
方法５００は、テスト光源を作動させることを含む（ブロック５１０）。テスト光源の起動は、動作中のイメージングプレートスキャナー３００をシミュレートする。テスト光源は、電子プロセッサ３５０からの信号に応答して自動的にまたは手動で作動させることができる。
【００５５】
方法５００は、電子プロセッサ３５０を用いて、光照射の結果として発生した出力電流を決定することを含む（ブロック５１５）。上述したように、ＰＭＴ１２０は、光を取り込み、取り込んだ光に基づいて電流を出力する。例えば、取り込まれる光の収束が高いほど、出力電流の振幅が大きくなる可能性がある。電子プロセッサ３５０は、アノード２２５からの電流出力を検出するように構成されてもよい。いくつかの実施形態では、電子プロセッサ３５０はまた、出力電流中のノイズのレベルを決定し、出力電流を決定するときにノイズのレベルを考慮に入れる。
【００５６】
いくつかの実施形態では、ＰＭＴ１２０はテスト画像から反射された光を取り込む。テスト画像は、テスト光源からの基準光の強度を変えることによって生成することができる。これは、ＰＭＴ１２０からのパラメータの読み取り中に行われてもよい。テスト光源の強度（および、故に生成されたテスト画像の強度）は、所望の輝度レベル（例えば、イメージングプレートスキャナー３００が正しく機能していることを示す輝度レベル）を生成する。テスト画像は、輝度レベルで光を放射し、それは次にブロック５１５に記載されるように出力電流を生成するために使用されてもよい。
【００５７】
方法５００は、電子プロセッサ３５０を用いて、出力電流が予想される電流範囲から外れた場合にエラーメッセージを生成することを含む（ブロック５２０）。出力電流が予想される電流範囲から外れた場合、ＰＭＴ１２０は正しく動作していない（および、故に、ＰＭＴ１２０によって受光される光に基づく現在の画像を出力しない）。いくつかの実施形態において、電子プロセッサ３５０によって生成されたエラーメッセージは、出力電流の実際の値、予想される電流範囲、および出力電流が予想される電流範囲からどれだけ逸脱したかを含む。他の例では、エラーメッセージは定量値のみを含む。エラーメッセージには、エラーを説明するテキストを含んでもよい。
【００５８】
いくつかの実施形態では、電子プロセッサ３５０はさらに、イメージングプレートスキャナー３００のエラーインジケータ３１０にエラーメッセージを出力するように構成される。一実施形態では、エラーインジケータ３１０は、イメージングプレートスキャナー３００のユーザにエラーメッセージを表示するディスプレイスクリーンである。別の実施形態では、エラーインジケータ３１０はＬＥＤであり、生成されるエラーメッセージに応答して、電子プロセッサ３５０は、エラーが発生したことをユーザに通知するためにエラーインジケータ３１０をオンにする信号を送信する。
【００５９】
他の実施形態では、エラーが発生した場合、電子プロセッサ３５０は、ＰＭＴ１２０用の新しい供給電圧を決定するように構成することができる。電子プロセッサ３５０は、出力電流が予想される電流範囲からどれだけ逸脱したかを判定し、供給電圧を調整し、ＰＭＴ１２０の新しいＨＶ値をメモリ２３５に保存するように構成される。
【００６０】
いくつかの実施形態において、方法５００は、イメージングプレートスキャナー３００が正しく動作していることを決定するためにイメージングプレートスキャナー３００が製造されるときに実行される。他の実施形態では、方法５００は、製造後であるがイメージングプレートスキャナー３００を販売のために出荷する前に品質保証ステップにおいて実行される。方法５００は、イメージングプレートスキャナー３００のＨＶ値を確認するために使用され得る。
【００６１】
前述の明細書において、特定の実施形態が説明された。しかしながら、当業者は、特許請求の範囲に記載される本発明の範囲から逸脱することなく、様々な修正および変更がなされ得ることを理解するであろう。したがって、明細書および図面は限定的な意味ではなく例示的な意味で見なされるべきであり、そのような修正はすべて本教示の範囲内に含まれることが意図される。
【００６２】
利益、利点、問題に対する解決策、および何らかの利益、利点または解決策を生じさせる、またはよりはっきりさせる可能性がある要素は、いずれかのまたはすべての特許請求の範囲の重要な、必須の、または必須の特徴または要素として解釈されるべきではない。本発明は、本願の係属中に行われたいかなる修正および発行された特許請求の範囲のすべての均等物を含む添付の特許請求の範囲によってのみ定義される。
【００６３】
さらに、本明細書では、第一および第二、上部および下部などの関係用語は、一つのエンティティまたはアクションを、そのようなエンティティ間のまたはアクション間のそのような関係または順序を必ずしも要求または示唆することなく、別のエンティティまたはアクションと区別するためにのみ用いられる。用語「含む（ｃｏｍｐｒｉｓｅｓ）」、「含む（ｃｏｍｐｒｉｓｉｎｇ）」、「有する（ｈａｓ）」、「有する（ｈａｖｉｎｇ）」、「含む（ｉｎｃｌｕｄｅｓ）」、「含む（ｉｎｃｌｕｄｉｎｇ）」、「含む（ｃｏｎｔａｉｎｓ）」、「含む（ｃｏｎｔａｉｎｉｎｇ）」またはそれらの任意の他の変形は、非排他的包含を包含することを意図している。要素のリストを含み（ｃｏｍｐｒｉｓｅｓ）、有し（ｈａｓ）、含み（ｉｎｃｌｕｄｅｓ）、および含む（ｃｏｎｔａｉｎｓ）、プロセス、方法、物品、または装置は、それらの要素だけを含むのではなく、そのようなプロセス、方法、物品、または装置に明示的に挙げられないまたは固有の他の要素を含み得る。「ｃｏｍｐｒｉｓｅｓ…ａ」、「ｈａｓ…ａ」、「ｉｎｃｌｕｄｅｓ…ａ」、または「ｃｏｎｔａｉｎｓ…ａ」によって進められる要素は、さらなる制約なしに、要素を含む（ｃｏｍｐｒｉｓｅｓ）、有する（ｈａｓ）、含む（ｉｎｃｌｕｄｅｓ）、および含む（ｃｏｎｔａｉｎｓ）プロセス、方法、物品または装置におけるさらなる同一の要素の存在を排除しない。用語「ａ」および「ａｎ」は、本明細書で他に明示的に述べられていない限り、一つまたは複数として定義される。用語「実質的に」、「本質的に」、「およそ」、「約」、またはそれらの任意の他のバージョンは、当業者によって理解されるものに近いと定義され、一つの非限定的な実施形態において、その用語は１０％以内、別の実施形態では５％以内、別の実施形態では１％以内、別の実施形態では０．５％以内であると定義される。本明細書で使用される「結合（ｃｏｕｐｌｅｄ）」という用語は、必ずしも直接ではなく、必ずしも機械的にではないが、接続されると定義される。特定の方法で「構成」されるデバイスまたは構造は、少なくともそのように構成されるが、リストされていない方法で構成することもできる。
【００６４】
いくつかの実施形態は、マイクロプロセッサ、デジタル信号プロセッサ、カスタマイズされたプロセッサ、およびフィールドプログラム可能なゲートアレイ（ＦＰＧＡ）などの一つまたは複数の汎用または専用の電子プロセッサ（または「処理装置」）と、特定の非プロセッサ回路と共に、本明細書に記載の方法および／または装置の機能のいくつか、ほとんど、またはすべてを実施するように一つまたは複数の電子プロセッサを制御する（ソフトウェアおよびファームウェアの両方を含む）特有の格納されたプログラム命令をと含んでもよい。あるいは、一部または全部の機能は、プログラム命令を格納していない状態機械によって、あるいは、各機能または特定の機能のいくつかの組み合わせがカスタムロジックとして実装されている一つまたは複数の特定用途向け集積回路（ＡＳＩＣ）によって、実装され得る。もちろん、二つの方法を組み合わせて使用することもできる。
【００６５】
さらに、一実施形態は、本明細書に記載され請求される方法を実行するために（例えば、電子プロセッサを含む）コンピュータをプログラミングするためのコンピュータ可読コードを格納したコンピュータ可読記憶媒体として実装され得る。そのようなコンピュータ可読記憶媒体の例は、ハードディスクと、ＣＤ−ＲＯＭと、光記憶装置と、磁気記憶装置と、ＲＯＭ（読み出し専用メモリ）と、ＰＲＯＭ（プログラム可能な読み出し専用メモリ）と、ＥＰＲＯＭ（消去可能でプログラム可能なリードオンリーメモリ）と、ＥＥＰＲＯＭ（電気的消去可能でプログラム可能なリードオンリーメモリ）と、フラッシュメモリとを含むが、これらに限定されない。さらに、当業者は、本明細書に開示された概念および原理によって導かれる場合、可能性のある大きな努力および例えば利用可能な時間、現在の技術、および経済的な考慮事項によって動機付けられる多くの設計選択にもかかわらず、最小限の実験でこのようなソフトウェア命令およびプログラムおよびＩＣを提供する。
【００６６】
さらに、前述の発明を実施するための形態では、開示を簡素化する目的で様々な実施形態において様々な特徴がまとめられていることが理解されよう。この開示方法は、請求された実施形態が各請求項に明示的に記載されるよりも多くの特徴を必要とするという意図を反映していると解釈されるべきではない。むしろ、添付の特許請求の範囲が反映するように、発明の主題は単一の開示された実施形態の全ての特徴より少ない特徴にある。したがって、添付の特許請求の範囲は、詳細な説明に組み込まれ、各特許請求の範囲は、別々に特許請求される主題として自立している。
【図１】
2019133927.tif 000005
【図２】
2019133927.tif 000006
【図３Ａ】
2019133927.tif 000007
【図３Ｂ】
2019133927.tif 000008
【図４】
2019133927.tif 000009
【図５】
2019133927.tif 000010
【外国語明細書】
2019133927000001.pdf